(57)【要約】      （修正有）【課題】外的刺激や洗濯等により反射材の機能が劣化するのを防止する衣服を提供する。【解決手段】袖２の後側には、細長い形状の開口部３が形成されている。また、袖２の内側には、開口部３を塞ぐように布４が配置され、布４の周囲が袖２の内側に縫い付けられて袋状部分６が構成される。開口部３から見えるように袖２の内側に再帰性反射材７が着脱自在に設けられる。再帰性反射材７は、開口部３に合わせて細長い形状を有し、開口部３の開口面積よりも大きいが、可撓性を有するので、開口部３から出し入れすることができる。袖２の内側には、開口部３の長縁部３ａ、３ｂに沿うように面ファスナ８が配設され、また、再帰性反射材７の両側の長縁部には、袋状部分６に収容したときに面ファスナ８に対向する位置に、面ファスナ８と対をなす面ファスナ９が配設されている。【選択図】図１
0003183842.tif 000002
【実用新案登録請求の範囲】
【請求項１】
当該衣服に形成された開口部と、
前記開口部から見えるように当該衣服の内側に着脱自在に設けられる反射材とを備えたことを特徴とする衣服。
【請求項２】
前記反射材は、可撓性を有する布状であり、前記開口部の開口面積よりも大きいことを特徴とする請求項１に記載の衣服。
【請求項３】
当該衣服の内側であって前記開口部の縁部に沿うように設けられた第１の結合部材と、前記反射材に設けられた、前記第１の結合部材と対をなす第２の結合部材とを備えたことを特徴とする請求項１又は２に記載の衣服。
【請求項４】
当該衣服の内側には、前記開口部を塞ぐように布が配置され、前記布の周囲が当該衣服の内側に縫い付けられて袋状部分が構成されており、前記反射材が前記袋状部分に収容されることを特徴とする請求項１又は２に記載の衣服。
【請求項５】
当該衣服の内側には、前記開口部を塞ぐように布が配置され、前記布の周囲が当該衣服の内側に縫い付けられて袋状部分が構成されており、前記反射材が前記袋状部分に収容され、
前記布には、前記第１の結合部材と対をなす第３の結合部材が設けられていることを特徴とする請求項３に記載の衣服。
【請求項６】
前記布の生地及び色は、当該衣服の前記開口部が形成されている部分の生地及び色と同じものであることを特徴とする請求項４又は５に記載の衣服。
【考案の詳細な説明】
【技術分野】
【０００１】
本考案は、反射材が着脱自在に設けられた衣服に関する。
【背景技術】
【０００２】
夜間や暗所での作業員の存在を示すために、視認性を上げるべく反射材を接着や縫合した衣服が実用化されている（例えば特許文献１を参照のこと）。
【先行技術文献】
【特許文献】
【０００３】
【特許文献１】実用新案登録第３１４９２６１号公報
【考案の概要】
【考案が解決しようとする課題】
【０００４】
従来は、反射材を衣服に接着や縫合しているため、反射材の厚み分、反射材が衣服の表面に対して凸状に配置されることになる。そのため、反射材が摩擦等の外的刺激を受けやすく、反射材の機能が劣化しやすい。
【０００５】
例えば再帰性反射材と呼ばれる反射材は、入射光を光源の方向にまっすぐ戻す再帰性反射を実現したものであり、ガラスビーズで光を屈折させるタイプやプリズムで光を屈折させるタイプがある。このような再帰性反射材付きの衣服では、作業時の摩擦や強い紫外線といった外的刺激の影響を受けて反射材の機能が劣化することがある。また、工業洗濯のような激しい洗濯を繰り返すと、ガラスビーズが剥離したり、プリズムが摩耗したりして、反射材の機能が著しく劣化することがある。
【０００６】
ここで、反射材を面ファスナ等を用いて衣服の表面に着脱自在に設ける構成が考えられる。これにより、衣服を洗濯するときに反射材を取り外すことにより、反射材の機能が劣化するのを避けることができる。
しかしながら、この場合にも、反射材が衣服の表面に対して凸状に配置され、摩擦等の外的刺激を受けやすいという問題は解消されない。
【０００７】
本考案は上記のような点に鑑みてなされたものであり、外的刺激や洗濯等により反射材の機能が劣化するのを防止できるようにすることを目的とする。
【課題を解決するための手段】
【０００８】
本考案の衣服は、当該衣服（例えば上着の袖）に形成された開口部と、前記開口部から見えるように当該衣服の内側に着脱自在に設けられる反射材とを備えたことを特徴とする。
また、本考案の衣服の他の特徴とするところは、前記反射材は、可撓性を有する布状であり、前記開口部の開口面積よりも大きい点にある。
また、本考案の衣服の他の特徴とするところは、当該衣服の内側であって前記開口部の縁部に沿うように設けられた第１の結合部材と、前記反射材に設けられた、前記第１の結合部材と対をなす第２の結合部材とを備えた点にある。
また、本考案の衣服の他の特徴とするところは、当該衣服の内側には、前記開口部を塞ぐように布が配置され、前記布の周囲が当該衣服の内側に縫い付けられて袋状部分が構成されており、前記反射材が前記袋状部分に収容される点にある。この場合に、前記布には、前記第１の結合部材と対をなす第３の結合部材が設けられてもよい。また、前記布の生地及び色は、当該衣服の前記開口部が形成されている部分の生地及び色と同じものとしてもよい。
【考案の効果】
【０００９】
本考案によれば、外的刺激や洗濯等により反射材の機能が劣化するのを防止することができる。
【図面の簡単な説明】
【００１０】
【図１】本考案の実施形態に係る衣服である上着の背面側を示す図である。
【図２】図１のＡ−Ａ線断面を示す概略図であり、再帰性反射材が設けられた状態を示す図である。
【図３】図１のＡ−Ａ線断面を示す概略図であり、再帰性反射材が取り外された状態を示す図である。
【考案を実施するための形態】
【００１１】
以下、添付図面を参照して、本考案の好適な実施形態について説明する。
図１に、本考案を適用した実施形態に係る衣服である上着１の背面側を示す。
上着１の袖２の後側には、細長い形状の開口部３が形成されている。袖２は、布を筒状にして縫合したものであり（縫合部２ａを参照）、本実施形態では、開口部３は、その両側の長縁部３ａ、３ｂのうちの一方の長縁部３ａが縫合部２ａに沿うように形成されている。
【００１２】
また、図２、図３にも示すように、袖２の内側には、開口部３を塞ぐように布４が配置され、布４の周囲が袖２の内側に縫い付けられている。これにより、開口部３の内側には袋状部分６が構成される。
さらに、袖２及び布４の裏側に裏地５が設けられている。この裏地５は着用者の腕に触れる部分であり、柔らかい布が用いられる。
【００１３】
ここで、開口部３から見えるように袖２の内側に再帰性反射材７が着脱自在に設けられる。再帰性反射材７は、可撓性を有する布状のものであり、開口部３の内側の袋状部分６に収容される。再帰性反射材７は、開口部３に合わせて細長い形状を有し、開口部３の開口面積よりも大きいが、可撓性を有するので、開口部３から出し入れすることができる。なお、再帰性反射材７が布４、すなわち袋状部分６よりも小さいことはいうまでもない。
【００１４】
袖２の内側には、開口部３の長縁部３ａ、３ｂに沿うように面ファスナ８が配設されている。また、再帰性反射材７の両側の長縁部には、袋状部分６に収容したときに面ファスナ８に対向する位置に、面ファスナ８と対をなす面ファスナ９が配設されている。さらに、布４にも、面ファスナ８に対向する位置に、面ファスナ８と対をなす面ファスナ１０が配設されている。袖２の内側、再帰性反射材７及び布４への面ファスナ８〜１０の取り付けは、接着でも縫合でもかまわない。
【００１５】
本実施形態に係る上着２では、開口部３から見えるように袖２の内側に再帰性反射材７が着脱自在に設けられる。
具体的には、図２に示すように、開口部３の内側の袋状部分６に再帰性反射材７を収容して、袖２の内側の面ファスナ８に、再帰性反射材７の面ファスナ９を結合させる。これにより、再帰性反射材７が固定され、着用時に再帰性反射材７がずれ動くのを防ぐことができる。
【００１６】
一方、再帰性反射材７が不要なときは、図３に示すように、再帰性反射材７を取り外せばよい。この場合、袖２の内側の面ファスナ８に、布４の面ファスナ１０を結合させる。これにより、布４が固定されて、布４によって開口部３が塞がれるようになるので、開口部３の内側に隙間ができたり、開口部３の縁部がめくれたりするのを防ぐことができる。再帰性反射材７を取り外した状態では、開口部３から布４が見えることになるが、布４の生地及び色を袖２の生地及び色と同じものとすれば、デザイン上の違和感がなくなる。逆に布４の生地や色を袖２の生地や色と異なるものとして、デザイン上の変化を持たせるようにしてもかまわない。
【００１７】
以上述べたように、開口部３から見えるように袖２の内側に再帰性反射材７が着脱自在に設けられるので、再帰性反射材７が袖２の表面に対して凹状に配置されることになる。これにより、再帰性反射材７が摩擦等の外的刺激を受けにくく、反射材の機能が劣化しにくい。
【００１８】
また、再帰性反射材７が着脱自在となっているので、上着１を洗濯するときに再帰性反射材７を取り外すことにより、反射材の機能が劣化するのを避けることができる。また、再帰性反射材７が劣化等したときには、再帰性反射材７を新品に交換することもできる。
【００１９】
以上、本考案を実施形態と共に説明したが、本考案はこれらの実施形態にのみ限定されるものではなく、本考案の範囲内で変更等が可能である。
例えば上記実施形態では、上着１の袖２に開口部３を形成する例を説明したが、衣服であれば、その種類や開口部を形成する部位は限定されるものではない。例えばズボンの適宜な部位に開口部が形成されてもよい。また、本考案は、作業員用の作業服、学生の制服等の恒常的に着用される衣服に適用することが想定されるが、衣服の用途についても限定されるものではない。
【００２０】
また、本考案でいう結合部材として面ファスナ８〜１０を例に挙げたが、ファスナやボタン等を用いてもよい。
また、本考案でいう反射材として再帰性反射材７を例に挙げたが、反射材の種類は限定されるものではない。
また、開口部３の形状や大きさは限定されるものではなく、再帰性反射材７の形状や大きさも開口部３に適宜合わせたものとすればよい。
【符号の説明】
【００２１】
１：衣服、２：袖、２ａ：縫合部、３：開口部、３ａ、３ｂ：長縁部、４：布、５：裏地、６：袋状部分、７：再帰性反射材、８〜１０：面ファスナ
【図１】
0003183842.tif 000003
【図２】
0003183842.tif 000004
【図３】
0003183842.tif 000005